(57)【要約】【課題】状態が良好でないカードを特定する。【解決手段】カード読取装置は、情報を記録可能なカードを挿入する挿入口と、挿入口に挿入された第１カードに記録された情報を読み取る読取部と、第１カードの状態を特定する状態特定部と、状態特定部２３が特定した状態を示す状態情報と、第１カードのカード識別情報とを関連付けて、第１カードと異なる第２カードに記録する記録制御部２４と、状態情報が記録された第２カードを排出する排出部と、を有する。【選択図】図２
2019097655.tif 000002
【特許請求の範囲】
【請求項１】
情報を記録可能なカードを挿入する挿入口と、
前記挿入口に挿入された第１カードに記録された情報を読み取る読取部と、
前記第１カードの状態を特定する状態特定部と、
前記状態特定部が特定した状態を示す状態情報と、前記第１カードのカード識別情報とを関連付けて、前記第１カードと異なる第２カードに記録する記録部と、
前記状態情報が記録された前記第２カードを排出する排出部と、
を有する、
カード読取装置。
【請求項２】
前記記録部は、前記排出部から排出された前記第１カードを排出するために要した時間である排出時間を前記状態情報として前記第２カードに記録する、
請求項１に記載のカード読取装置。
【請求項３】
前記第１カード及び前記第２カードを収容するカード収容部をさらに有し、
前記記録部は、前記挿入口に挿入された前記第１カードを前記カード収容部に収納するために要した時間である収納時間を前記状態情報として前記第２カードに記録する、
請求項１又は２に記載のカード読取装置。
【請求項４】
前記記録部は、前記挿入口に挿入された第１カードの使用履歴を示す使用履歴情報と、前記第１カードの劣化状態を示す劣化情報とを前記状態情報として記録し、かつ前記第１カードの代わりに第２カードを排出する場合に、前記第１カードに記録されていた情報のうち、前記劣化情報を書き込まずに前記使用履歴情報を前記第２カードに書き込み、
前記排出部は、前記使用履歴情報が書き込まれた前記第２カードを排出する、
請求項１から３のいずれか一項に記載のカード読取装置。
【発明の詳細な説明】
【技術分野】
【０００１】
本発明は、カードに記録された情報を読み取るカード読取装置に関する。
【背景技術】
【０００２】
ＩＣカード等の不揮発性メモリを有するカードを遊技用カードとして用いることが広く行われている。ＩＣカードは、メモリへ書き込み回数の限界があるため、書き込み回数の限界に達したこと等に起因して遊技用カードが利用できなくなることがあった。特許文献１には、カードの使用回数をカードに書き込み、カードに書き込まれた使用回数を監視することにより、カードが利用できなくなる前に交換することが記載されている。
【先行技術文献】
【特許文献】
【０００３】
【特許文献１】特開２０００−２６８０８７号公報
【発明の概要】
【発明が解決しようとする課題】
【０００４】
特許文献１に記載された技術では、使用回数が多いカードを状態が良好でないと判定する。一方、カードが使用された状況等によっては、使用回数の少ないカードであっても状態が良好でないことがある。特許文献１に記載された技術では、カードの使用回数が少ない場合には、状態が良好でないにもかかわらず、カードが良好であると判定してしまう場合があるという問題があった。また、カードの状態が悪化している場合、カードに使用回数を書き込めなくなり、カードに書き込まれた使用回数に基づいてカードの良否を判定することができなくなってしまうという問題があった。
【０００５】
そこで、本発明はこれらの点に鑑みてなされたものであり、状態が良好でないカードを特定することができるカード読取装置を提供することを目的とする。
【課題を解決するための手段】
【０００６】
本発明の第１の態様のカード読取装置は、情報を記録可能なカードを挿入する挿入口と、前記挿入口に挿入された第１カードに記録された情報を読み取る読取部と、前記第１カードの状態を特定する状態特定部と、前記状態特定部が特定した状態を示す状態情報と、前記第１カードのカード識別情報とを関連付けて、前記第１カードと異なる第２カードに記録する記録部と、前記状態情報が記録された前記第２カードを排出する排出部と、を有する。
【０００７】
前記記録部は、前記排出部から排出された前記第１カードを排出するために要した時間である排出時間を前記状態情報として前記第２カードに記録してもよい。前記カード読取装置は、前記第１カード及び前記第２カードを収容するカード収容部をさらに有し、前記記録部は、前記挿入口に挿入された前記第１カードを前記カード収容部に収納するために要した時間である収納時間を前記状態情報として前記第２カードに記録してもよい。
【０００８】
前記記録部は、前記挿入口に挿入された第１カードの使用履歴を示す使用履歴情報と、前記第１カードの劣化状態を示す劣化情報とを前記状態情報として記録し、かつ前記第１カードの代わりに第２カードを排出する場合に、前記第１カードに記録されていた情報のうち、前記劣化情報を書き込まずに前記使用履歴情報を前記第２カードに書き込み、前記排出部は、前記使用履歴情報が書き込まれた前記第２カードを排出してもよい。
【発明の効果】
【０００９】
本発明によれば、状態が良好でないカードを特定することができるという効果を奏する。
【図面の簡単な説明】
【００１０】
【図１】本発明の実施形態に係るカード読取装置の例を示す図である。
【図２】台間装置の構成を示す図である。
【図３】記録制御部が遊技用カードに記録する状態情報の例を示す図である。
【図４】台間装置による遊技用カードの読み取り時の動作の例を示すフローチャートである。
【図５】台間装置による遊技用カードの排出時の動作の例を示すフローチャートである。
【発明を実施するための形態】
【００１１】
［遊技システムＳの概要］
図１は、本実施形態に係るカード読取装置の例を示す図であり、カード読取装置の一例として、遊技機１に接続された台間装置２を示す。図１（ａ）は、遊技機１及び台間装置２を前方から見た様子を示し、図１（ｂ）は、台間装置２の内部構造を示す。
【００１２】
遊技機１は、ユーザが遊技をするための装置である。本明細書においては、遊技機１としてパチンコ台を例示するが、本実施の形態は、ユーザが遊技をすることができる任意の遊技機に適用することができる。
【００１３】
台間装置２は、遊技機１に接続されており、ユーザが遊技機１において遊技をする際に遊技機１を制御する遊技機制御装置である。台間装置２は、ユーザが遊技機１で遊技するための遊技用カードに各種の情報を記録する。遊技用カードは、遊技機１において遊技を行うための有価情報を記憶している。遊技用カードは、例えばＩＣ（Integrated Circuit）カードである。図１（ａ）に示すように、台間装置２には、画像を表示するための表示部２０１と、遊技用カードを挿入するための挿入口２０２が設けられている。表示部２０１は、例えば、ユーザの持ち玉の数を表示する。
【００１４】
台間装置２は、遊技用カードの摩耗等の劣化状態を示す情報を遊技用カードに記録する。台間装置２がこのような構成を有することにより、管理者が遊技用カードを回収して状態情報を参照すれば、摩耗等により状態が良好でない遊技用カードを特定することができる。
【００１５】
［台間装置２の内部構造］
図１（ｂ）に示すように、台間装置２の内部には、リーダ／ライタ２０３、搬送部２０４、カード収容部２０５及びピックアップローラ２０６が配置されている。リーダ／ライタ２０３は、遊技用カードＡ１に記録されている各種の情報を読み取る。また、リーダ／ライタ２０３は、遊技用カードＡ１に各種の情報を記録する。リーダ／ライタ２０３は、例えば、ＲＦＩＤ（Radio Frequency Identification）等の近距離無線通信により、遊技用カードＡ１の情報を読み取り、又は遊技用カードＡ１へ情報を記録する。
【００１６】
リーダ／ライタ２０３は、カードの読み取り又は書き込みの失敗時のリトライ回数等のカードの状態を示す状態情報を遊技用カードＡ１に記録する。管理者は、例えばカードを読み取ることができる装置にカードを挿入し、当該装置に表示された状態情報に基づいて、カードの読み取りにおけるリトライ回数が多くなっているカードを特定することができる。
【００１７】
搬送部２０４は、挿入口２０２から挿入された遊技用カードＡ１をカード収容部２０５へ搬送する複数の搬送ローラ及びモータを有する。搬送部２０４は、遊技用カードＡ１を両側から挟んだ状態で搬送ローラを回転させることにより、図１（ｂ）の破線により示す搬送路に沿って、カード収容部２０５まで遊技用カードＡ１を搬送する。
【００１８】
カード収容部２０５は、ユーザが返却した遊技用カードＡ１をストックカードとして収容するための載置台であり、複数のストックカードを収容可能である。ストックカードは、新たな遊技用カードＡ１を発行するために用いられる。カード収容部２０５には、収容したストックカードをピックアップローラ２０６側に付勢するための弾性部材が取り付けられている。カード収容部２０５は、遊技用カードＡ１を収容するときにピックアップローラ２０６と反対の側（図１（ｂ）における下方）へ後退することにより、遊技用カードＡ１を収容するためのスペースを確保する。
【００１９】
ピックアップローラ２０６は、カード収容部２０５が収容している遊技用カードＡ１を排出するための搬送ローラである。ピックアップローラ２０６は、回転駆動することにより、カード収容部２０５が収容しているストックカードを搬送路へ送出する。搬送部２０４は、ピックアップローラ２０６がカード収容部２０５から排出したストックカードを収容時とは逆方向に搬送する排出部として機能し、ストックカードを遊技用カードＡ１として挿入口２０２から排出する。
【００２０】
遊技用カードＡ１は、使用により劣化する。例えば、遊技用カードＡ１の摩耗により搬送部２０４との間で滑りが生じることがある。また、遊技用カードＡ１においてリーダ／ライタと情報を送受信するためのアンテナ線の損傷に起因してリーダ／ライタ２０３が読み取り又は書き込みに失敗することがある。そこで、リーダ／ライタ２０３は、遊技用カードＡ１の摩耗の影響を受ける搬送時間（例えば、後述の収納時間及び排出時間）、搬送回数、読み取りのリトライ回数又は書き込みのリトライ回数等を遊技用カードＡ１の劣化状態を示す劣化情報として含む状態情報を遊技用カードＡ１に記録する。
【００２１】
リーダ／ライタ２０３が遊技用カードＡ１の状態情報を遊技用カードＡ１に記録しておくことにより、管理者は、遊技用カードＡ１の搬送ジャム又は読取エラーが生じる前の段階において、状態が良好でない遊技用カードＡ１を特定することができる。また、管理者は、遊技用カードＡ１の搬送ジャム又は読取エラーが生じた場合に、原因を特定することができる。例えば、特定の遊技用カードＡ１において読み取りのリトライ回数が所定の回数よりも多いことが確認された場合、管理者は、この遊技用カードＡ１に読み取りに失敗する原因がある可能性が高いと推定することができる。一方、管理者は、同じ台間装置２に収容された複数のストックカードにおいて読み取りのリトライ回数が多い傾向がみられる場合には、台間装置２のリーダ／ライタ２０３に読み取りに失敗する原因があると推定することができる。
【００２２】
［台間装置２の構成］
図２は、台間装置２の構成を示す図である。台間装置２は、リーダ／ライタ２０３、搬送部２０４、ピックアップローラ２０６、通信部２０７、遊技機接続部２０８、記憶部２０９及び制御部２１０を備える。通信部２０７は、ユーザの使用履歴情報を管理する図示しないサーバとの間で情報を送受信するための通信インターフェースである。通信部２０７は、例えばＬＡＮコントローラを含んでいる。
【００２３】
遊技機接続部２０８は、遊技機１と通信するための通信インターフェースである。記憶部２０９は、ＲＯＭ（Read Only Memory）及びＲＡＭ（Random Access Memory）等の記憶媒体である。記憶部２０９は、制御部２１０が実行するプログラムを記憶している。制御部２１０は、例えばＣＰＵ（Central Processing Unit）である。制御部２１０は、記憶部２０９に記憶されたプログラムを実行することにより、搬送制御部２１、読取制御部２２、状態特定部２３、記録制御部２４及び遊技制御部２５として機能する。
【００２４】
搬送制御部２１は、搬送部２０４及びピックアップローラ２０６を駆動制御する。搬送制御部２１は、挿入口２０２に挿入された遊技用カードＡ１を搬送路に沿って搬送し、この遊技用カードＡ１をカード収容部２０５にストックカードとして収納する。搬送制御部２１は、ピックアップローラ２０６を駆動することにより、カード収容部２０５に収納されているストックカードを搬送路に送出し、ストックカードを遊技用カードＡ１として挿入口２０２から排出する。
【００２５】
搬送制御部２１は、遊技用カードＡ１が挿入口２０２に挿入されてから遊技用カードＡ１がカード収容部２０５に収納されるために要する時間である収納時間を測定し、測定した収納時間を状態特定部２３に通知する。また、搬送制御部２１は、遊技用カードＡ１を排出するために要する時間である排出時間を測定し、測定した排出時間を状態特定部２３に通知する。
【００２６】
読取制御部２２は、挿入された遊技用カードＡ１に記録された情報をリーダ／ライタ２０３により読み取る。例えば、読取制御部２２は、遊技用カードＡ１を特定するためのカード識別情報、及び遊技用カードＡ１の状態を示す状態情報を読み取る。読取制御部２２は、遊技用カードＡ１に記録された情報の読み取りに失敗した場合に、再度の読み取りを試みる。以下、再度の読み取り又は書き込みを試みることをリトライするという。読取制御部２２は、状態特定部２３に読み取りのリトライ回数を通知する。
【００２７】
読取制御部２２は、リトライ回数が閾値を超えた場合に、表示部２０１に読み取りに失敗したことを示すエラーメッセージを表示してもよい。閾値は、例えば、読み取りをリトライすることによって読み取り成功率を上昇させることが可能な範囲において当業者が適宜設定した値である。
【００２８】
状態特定部２３は、遊技用カードＡ１の状態を特定し、特定した遊技用カードＡ１の状態を示す状態情報を生成する。状態情報は、遊技用カードＡ１の劣化状態を示す劣化情報を含む。遊技用カードＡ１が劣化している場合、リトライ回数が増えたり、カード収容部２０５に遊技用カードＡ１を収納するために要する時間である収納時間が長くなったり、遊技用カードＡ１を排出するために要する時間である排出時間が長くなったりする。そこで、状態特定部２３は、リトライ回数、収納時間及び排出時間を搬送制御部２１から取得し、取得した収納時間及び排出時間を劣化情報として含む状態情報を生成する。
【００２９】
また、状態情報は、劣化情報に加えて、遊技用カードＡ１の使用履歴を示す使用履歴情報をさらに含んでもよい。遊技用カードＡ１の使用履歴情報は、例えば、ユーザが以前に使用した遊技機及び利用日時の履歴と、ユーザの持ち玉の増減の履歴とを示す。
【００３０】
状態特定部２３は、読取制御部２２が読み取った状態情報を取得する。状態特定部２３は、取得した状態情報において遊技用カードＡ１の状態が良好でないことを示す場合には、状態が良好でない遊技用カードＡ１を排出しないことを搬送制御部２１に指示する。この場合、状態特定部２３は、遊技用カードＡ１の代りに、カード収容部２０５にストックカードとして収納された別の遊技用カードＡ２を排出することを搬送制御部２１に指示する。
【００３１】
例えば、状態特定部２３は、取得した遊技用カードＡ１の状態情報が示す読み取り又は書き込みのリトライ回数が所定値以上である場合に、遊技用カードＡ１の状態が良好でないと判定する。この場合、状態特定部２３は、遊技用カードＡ１を排出しないことを搬送制御部２１に指示する。所定値は、正常なカードに比べて読み取り又は書き込みのリトライ回数が有意に大きいことを示す値である。このような構成を採用することにより、状態特定部２３は、状態が良好でない遊技用カードＡ１をユーザが使用することを抑制することができる。
【００３２】
記録制御部２４は、リーダ／ライタ２０３を制御することにより、各種の情報を遊技用カードＡ１に記録する。状態特定部２３が生成した状態情報をリーダ／ライタ２０３により遊技用カードＡ１に記録する。図３を参照して、記録制御部２４が記録する状態情報について説明する。図３は、記録制御部２４が遊技用カードＡ１に記録する状態情報の例を示す。記録制御部２４は、遊技用カードＡ１の劣化状態を示す状態情報、すなわち劣化情報として、リーダ／ライタ２０３による読み取りのリトライ回数、収納時間及び累積搬送回数を記録し、劣化情報以外の状態情報として、遊技開始時刻及び遊技終了時刻等を記録する。
【００３３】
累積搬送回数は、未使用の状態から起算して、遊技用カードＡ１が搬送部２０４により搬送され、リーダ／ライタ２０３を通過した回数である。累積搬送回数には、遊技用カードＡ１が複数の台間装置２のリーダ／ライタ２０３を通過した回数が含まれる。
【００３４】
遊技開始時刻は、ユーザが遊技機１による遊技を開始した時刻であり、遊技終了時刻は、ユーザが遊技機１による遊技を終了した時刻である。一例として、記録制御部２４は、リーダ／ライタ２０３による直近の状態情報の読み取り時のリトライ回数、カード収容部２０５への直近の収納時の収納時間、ユーザの直近の遊技時における遊技開始時刻及び遊技終了時刻等をそれぞれ記録する。記録制御部２４は、直近の複数回の読み取りにおけるリトライ回数の履歴等を記録してもよい。
【００３５】
図３の例では、記録制御部２４は、カード識別情報「Ａ１２３」に関連付けられた状態情報として、リトライ回数「３回」、収納時間「５．５秒」、累積搬送回数「５６回」、遊技開始時刻「１０月１９日１５時４６分」、遊技終了時刻「１０月１９日１８時２３分」を遊技用カードＡ１にそれぞれ記録する。
【００３６】
搬送部２０４が遊技用カードＡ１をカード収容部２０５に収容する場合に、搬送部２０４と遊技用カードＡ１との間に滑りが生じることがある。このため、記録制御部２４は、搬送部２０４が遊技用カードＡ１を挿入口２０２からリーダ／ライタ２０３まで搬送するのに要した時間を記録することが望ましい。
【００３７】
一方、記録制御部２４は、カード収容部２０５に収容されたカードに状態情報を記録することはできない。そこで、記録制御部２４は、状態情報が示す第１遊技用カードＡ１の収納時間が基準値より大きい場合には、第１遊技用カードＡ１の次にカード収容部２０５に収容される第２遊技用カードＡ２に、第１遊技用カードＡ１の収納時間を含む状態情報を記録する。基準値は、状態が良好な遊技用カードに比べて収納時間が有意に長いことを示す値である。
【００３８】
また、搬送制御部２１が排出時間を測定した後の第１遊技用カードＡ１は挿入口２０２から既に排出されていることから、記録制御部２４は、第１遊技用カードＡ１の排出時間を第１遊技用カードＡ１自体に記録することはできない。そこで、記録制御部２４は、状態情報が示す第１遊技用カードＡ１の排出時間が基準値より大きい場合、第１遊技用カードＡ１の次にピックアップローラ２０６がカード収容部２０５から排出する第２遊技用カードＡ２に、第１遊技用カードＡ１の排出時間を含む状態情報を記録する。基準値は、状態が良好な遊技用カードに比べて排出時間が有意に長いことを示す値である。このような構成を採用することにより、第１遊技用カードＡ１が搬送部２０４との間で滑りが生じやすい等の異常を示している場合に、管理者が第２遊技用カードＡ２を回収したときに、第１遊技用カードＡ１の状態を把握することができる。
【００３９】
記録制御部２４は、第２遊技用カードＡ２に第１遊技用カードＡ１の状態情報を記録する場合には、第１遊技用カードＡ１の状態情報と、第１遊技用カードＡ１のカード識別情報とを関連付けて記録する。このような構成を採用することにより、その後に管理者がストックカードを回収した場合に、ストックカードに記録されている状態情報が第１遊技用カードＡ１の状態を示すことを把握することができる。
【００４０】
記録制御部２４は、搬送制御部２１が第１遊技用カードＡ１の代りに第２遊技用カードを挿入口２０２から排出する場合には、第２遊技用カードＡ２を挿入口２０２から排出する前に第２遊技用カードＡ２に使用履歴情報を記録する。この場合、記録制御部２４は、第１遊技用カードＡ１に記録されている劣化情報を第２遊技用カードＡ２に書き込まない。
【００４１】
また、記録制御部２４は、遊技用カードＡ１の使用履歴を示す使用履歴情報を遊技用カードＡ１に記録する。例えば、記録制御部２４は、ユーザの遊技終了後に遊技用カードＡ１の使用履歴情報における遊技機及び利用日時の履歴と、ユーザの持ち玉の増減の履歴とを更新する。
【００４２】
記録制御部２４は、遊技用カードＡ１への情報の書き込みに失敗した場合に、再度の書き込みを試みる。記録制御部２４は、書き込みのリトライ回数を状態特定部２３に通知する。記録制御部２４は、リトライ回数が閾値を超えた場合に、遊技用カードＡ１への書き込みに失敗したことを示すエラーメッセージを表示部２０１に表示させる。閾値は、例えば、書き込みをリトライすることによって書き込み成功率を上昇させることが可能な範囲において当業者が適宜設定した値である。
【００４３】
また、記録制御部２４は、搬送制御部２１が挿入口２０２から挿入された遊技用カードＡ１をカード収容部２０５に収納する場合に、遊技用カードＡ１に記録されている使用履歴情報をリーダ／ライタ２０３により消去する。このとき、記録制御部２４は、遊技用カードＡ１に記録されている劣化情報は消去しない。このようにすることで、遊技用カードＡ１を使用するユーザが入れ替わった場合にも、遊技用カードＡ１に劣化情報が記録された状態を維持することができる。
【００４４】
また、記録制御部２４は、ユーザの使用履歴情報を管理する図示しないサーバと通信部２０７を介して通信する。記録制御部２４は、搬送制御部２１がカード収容部２０５に収容されたストックカードを挿入口２０２から遊技用カードＡ１として排出する場合に、ユーザの使用履歴情報を管理するサーバからユーザの使用履歴情報を取得し、取得したユーザの使用履歴情報を排出するストックカードに記録する。
【００４５】
遊技制御部２５は、ユーザの持ち玉数を示す持ち玉情報を遊技機１から遊技機接続部２０８を介して取得する。遊技制御部２５は、取得したユーザの持ち玉情報が示す持ち玉数を表示部２０１に表示する。
【００４６】
［遊技用カードＡ１の読み取り時の動作］
図４は、台間装置２による遊技用カードＡ１の読み取り時の動作の例を示すフローチャートである。この処理手順は、挿入口２０２に遊技用カードＡ１が挿入されたことを検出センサ（不図示）が検出したときに開始する。
【００４７】
まず、搬送制御部２１は、挿入口２０２に挿入された遊技用カードＡ１をリーダ／ライタ２０３まで搬送する（Ｓ１０１）。状態特定部２３は、リーダ／ライタ２０３まで遊技用カードＡ１を搬送するのに要した搬送時間を基準値と比較する（Ｓ１０２）。基準値は、リーダ／ライタ２０３まで遊技用カードＡ１を搬送するのに要した時間が有意に長いことを示す値である。
【００４８】
読取制御部２２は、搬送時間が基準値以下である場合（Ｓ１０２のＹＥＳ）、遊技用カードＡ１に記録された情報をリーダ／ライタ２０３により読み取る（Ｓ１０３）。読取制御部２２は、読み取りに成功したか否かを判定する（Ｓ１０４）。読取制御部２２は、遊技用カードＡ１の読み取りに成功した場合（ステップＳ１０４のＹＥＳ）、遊技用カードＡ１に状態情報を記録し（Ｓ１０５）、処理を終了する。
【００４９】
状態特定部２３は、ステップＳ１０２の判定において搬送時間が基準値よりも大きい場合（Ｓ１０２のＮＯ）、搬送制御部２１が次にカード収容部２０５に収納する遊技用カードＡ２に遊技用カードＡ１の状態情報を記録する（Ｓ１０７）。また、読取制御部２２は、ステップＳ１０４の判定において遊技用カードＡ１の読み取りに失敗した場合（Ｓ１０４のＮＯ）、読み取りのリトライ回数が閾値を超えているか否かを判定する（Ｓ１０６）。
【００５０】
読取制御部２２は、読み取りのリトライ回数が閾値を超えている場合（Ｓ１０６のＹＥＳ）、当該遊技用カードＡ１に状態情報を記録することはできないと判定し、ステップＳ１０７の処理に進み、次の遊技用カードＡ２に状態情報を記録する。読取制御部２２は、ステップＳ１０６の判定において読み取りのリトライ回数が閾値以下である場合に（Ｓ１０６のＮＯ）、ステップＳ１０３の処理に戻る。
【００５１】
［遊技用カードＡ１の排出時の動作］
図５は、台間装置２による遊技用カードＡ１の排出時の動作の例を示すフローチャートである。この処理手順は、搬送制御部２１が、カード収容部２０５に収納されたストックカードをリーダ／ライタ２０３まで搬送したときに開始する。まず、記録制御部２４は、遊技用カードＡ１の使用履歴を示す使用履歴情報を状態情報としてストックカードに記録する（Ｓ２０１）。
【００５２】
次に、搬送部２０４は、挿入口２０２を介して遊技用カードＡ１としてストックカードを排出する（Ｓ２０２）。状態特定部２３は、搬送部２０４から排出された遊技用カードＡ１を排出するために要した排出時間を劣化情報として含む状態情報を生成する。記録制御部２４は、状態情報が示す排出時間が基準値より大きいか否かを判定する（Ｓ２０３）。
【００５３】
記録制御部２４は、状態情報が示す排出時間が基準値より大きい場合は（Ｓ２０３のＹＥＳ）、遊技用カードＡ１の次にピックアップローラ２０６がカード収容部２０５から排出する遊技用カードＡ２に遊技用カードＡ１の状態情報を記録する（Ｓ２０４）。一方、記録制御部２４は、ステップＳ２０３の判定において状態情報が示す排出時間が基準値以下である場合は（Ｓ２０３のＮＯ）、次にピックアップローラ２０６が排出する遊技用カードＡ２に状態情報を記録することなく、処理を終了する。
【００５４】
［本実施の形態による効果］
本実施の形態によれば、記録制御部２４は、状態特定部２３が特定した状態を示す状態情報をカードに記録する。このような構成により、管理者がカードを回収したときに、状態が良好でないカードを特定することができる。また、記録制御部２４は、第１遊技用カードＡ１の状態情報と、第１遊技用カードＡ１のカード識別情報とを関連付けて、第２遊技用カードＡ２に記録する。このようにすることで、記録制御部２４は、第１遊技用カードＡ１が劣化しており、第１遊技用カードＡ１に状態情報を書き込めない場合であっても、第１遊技用カードＡ１の状態情報を第２遊技用カードＡ２に書き込めるので、管理者が第２遊技用カードＡ２を回収したときに、第１遊技用カードＡ１の状態を特定することができる。
【００５５】
なお、本実施の形態の例では、台間装置２が通信部２０７を備える例について説明したが、本発明はこれに限定されず、台間装置２が通信部２０７を備えていなくてもよい。また、上記の説明では、劣化情報として、搬送時間、搬送回数、読み取りのリトライ回数又は書き込みのリトライ回数等を例示したが、カードをカメラで印刷し、カードの表面の印刷状態を示す情報を劣化情報としてもよい。また、上記の説明では、カード読取装置として台間装置２を例示したが、カードを読み取る機能を有する装置であれば、精算機のような他の装置であってもよい。
【００５６】
以上、本発明を実施の形態を用いて説明したが、本発明の技術的範囲は上記実施の形態に記載の範囲には限定されず、その要旨の範囲内で種々の変形及び変更が可能である。例えば、装置の分散・統合の具体的な実施の形態は、以上の実施の形態に限られず、その全部又は一部について、任意の単位で機能的又は物理的に分散・統合して構成することができる。また、複数の実施の形態の任意の組み合わせによって生じる新たな実施の形態も、本発明の実施の形態に含まれる。組み合わせによって生じる新たな実施の形態の効果は、もとの実施の形態の効果を合わせ持つ。
【符号の説明】
【００５７】
１  遊技機
２  台間装置
２１  搬送制御部
２２  読取制御部
２３  状態特定部
２４  記録制御部
２５  遊技制御部
２０１  表示部
２０２  挿入口
２０３  ライタ
２０４  搬送部
２０５  カード収容部
２０６  ピックアップローラ
２０７  通信部
２０８  遊技機接続部
２０９  記憶部
２１０  制御部
【図１】
2019097655.tif 000003
【図２】
2019097655.tif 000004
【図３】
2019097655.tif 000005
【図４】
2019097655.tif 000006
【図５】
2019097655.tif 000007